(57)【要約】【課題】導光板１０の側端の位置決め用突部２６を枠体１５の内周面に形成されている凹部２７内に受入れて位置決めを行なうようにしたバックライト装置において、上記位置決め用突部２６から出射した光が凹部２７の内周面で反射し、これによって液晶表示パネル３５側に出射して輝点を生ずるのを防止するようにしたバックライト装置を提供する。【解決手段】枠体１５の凹部２７の上記導光板１０の位置決め用突部２６の上縁と対応する位置に段差２８を形成し、この段差２８の部分で、光学シート２０を構成するプリズムシート２１、２２あるいは拡散シート２３の耳３１、３２、３３の側方に延長された延長部分を受入れるようにし、このような延長部分によって位置決め用突部２６から出射しかつ凹部２７の内周面で反射した光を遮断して輝点の発生を抑えるようにする。【選択図】図９
2008159452.tif 000002
【特許請求の範囲】
【請求項１】
側端の光源からの光を主面から出射する導光板と、
前記導光板を受入れる枠体と、
光が出射される前記導光板の主面上に配される光学シートと、
を有するバックライト装置において、
前記導光板の側端に位置決め用突部が設けられ、該位置決め用突部が前記枠体の内周部に形成された凹部に受入れられるとともに、
前記凹部の前記導光板の主面とほぼ同一の高さの部位に段差が形成され、該段差によって前記凹部が前記突部の幅方向または突出方向に拡大され、しかも前記導光板の突部と対応する位置において前記光学シートに位置決め用の耳が設けられ、該耳が前記突部の幅方向または突出方向に前記突部よりも延長されて前記段差に受入れられることを特徴とするバックライト装置。
【請求項２】
前記枠体の凹部の段差が前記突部の幅方向に前記突部よりも拡大され、前記光学シートの前記耳の前記突部の幅方向の延長部が前記段差に受入れられて前記突部と前記凹部との間の隙間を塞ぐことを特徴とする請求項１に記載のバックライト装置。
【請求項３】
前記光学シートがプリズムシートを含み、該プリズムシートの耳の延長部が前記段差に受入れられることを特徴とする請求項１に記載のバックライト装置。
【請求項４】
前記光学シートが拡散シートを含み、該拡散シートの耳の延長部が前記段差に受入れられることを特徴とする請求項１に記載のバックライト装置。
【請求項５】
前記光学シートがプリズムシートと拡散シートとを含み、前記プリズムシートと前記拡散シートの耳の延長部が前記段差に受入れられることを特徴とする請求項１に記載のバックライト装置。
【請求項６】
表示パネルと、前記表示パネルに対して背面側から照明するバックライト装置とを有する表示装置において、
前記バックライト装置が側端の光源からの光を主面から出射する導光板と、前記導光板を受入れる枠体と、光が出射される前記導光板の主面上に配される光学シートとを有し、
前記導光板の側端に位置決め用突部が設けられ、該位置決め用突部が前記枠体の内周部に形成された凹部に受入れられるとともに、
前記凹部の前記導光板の主面とほぼ同一の高さの部位に段差が形成され、該段差によって前記凹部が前記突部の幅方向または突出方向に拡大され、しかも前記導光板の突部と対応する位置において前記光学シートに位置決め用の耳が設けられ、該耳が前記突部の幅方向または突出方向に前記突部よりも延長され、前記段差に受入れられることを特徴とする表示装置。
【請求項７】
前記表示パネルが液晶表示パネルであることを特徴とする請求項６に記載の表示装置。
【請求項８】
前記液晶表示パネルが前記バックライト装置の枠体によって保持されることを特徴とする請求項６に記載の表示装置。
【発明の詳細な説明】
【技術分野】
【０００１】
本発明はバックライト装置およびバックライト装置を有する表示装置に係り、とくに導光板を用いたバックライト装置と、このようなバックライト装置によって背面側から照明を行なうようにした表示装置に関する。
【背景技術】
【０００２】
各種の寸法の表示装置として、液晶表示装置が広く用いられている。液晶表示装置は、背面側から入射される光を信号に応じて各画素に対応する液晶部分の光の透過と遮断とを制御することによって表示を行なうようにしている。ここでとくに液晶表示装置は、自ら発光することができないために、背面側にバックライト装置を備えるようにし、このようなバックライト装置によって背面側から光を入射させるようにしている。
【０００３】
例えば特開２００１−１６６１１６号公報や、特開２００１−２１５５０５号公報に開示されているように、バックライト装置は、導光板から構成されており、この導光板の側端に位置する光源からの光を導光板に入射させ、導光板の底面側で入射された光を反射して主面側に導き、これによって面光源として液晶表示装置を背面側から照明するようにしている。
【０００４】
従来の液晶表示装置のバックライト装置は、例えば図１および図２に示すように、導光板１０を備え、この導光板１０の側端に配されているＬＥＤから成る光源１１によって導光板１０内に光を入射させるようにしている。なおＬＥＤ１１は給電用フレキシブル基板１２によって給電されて発光する。そして上記導光板１０を矩形の枠体１５内に収納するようにしており、この枠体１５の底面側の部分を反射板１６によって閉塞し、導光板１０の底面側に出射する光を反射して再びこの導光板１０内に入射させるようにしている。
【０００５】
導光板１０の主面であって光の出射面上には、光学シート２０が配される。光学シート２０は、例えばプリズムシート２１、２２と、拡散シート２３とから構成されるようになっている。
【０００６】
ここでとくに導光板１０は、枠体１５に対する位置決めを行なうために、その側端であって互いに対向する側面にそれぞれ位置決め用突部２６を備え、このような位置決め用突部２６を枠体１５の内周部に形成されている凹部２７に受入れるようにしている。また上記光学シート２０を構成する３枚のシート２１〜２３にもそれぞれ耳３１、３２、３３がそれぞれ形成され、これらの耳３１、３２、３３が上記枠体１５の凹部２７に受入れられている。
【０００７】
このように液晶表示装置のバックライトは、光源１１からの光を面光源にするために導光板１０を使い、その周囲に構造体としての樹脂等から成る枠体１５を備えている。また輝度向上のためにこの枠体１５に高反射率の素材を使用することが多い。従って導光板１０のとくに位置決め用突部２６から出射した光が上記枠体１５の内周面で反射され易くなる。
【０００８】
すなわち図２および図３に示すように、導光板１０は、枠体１５との間の位置決めのために位置決め用突部２６を側端に突出するように備えている。ここで位置決め用突部２６もまた導光板１０と連続する材料から成り、導光板１０の一部を成している。そして光源１１を通して入射した光が、導光板１０の内部を伝播して外部に出射することがあり、このような光が導光板１０と嵌合する枠体１５の内周面に当たると輝点になる（図３、図４参照）。
【０００９】
このような導光板１０の位置決め用突部２６から出射し、導光板１０の凹部２７の内周面で反射される光による輝点を解消するために、従来は、例えば図５に示すように、上記凹部２７の出口部分を遮光テープ３８等の光を遮る材料を取付けることによって解消していた。しかるにこのような遮光テープ３８による輝点の解消策は、部品点数が増加し、工程数が増加する。このようなことから、液晶表示装置のコストアップを引起こすことになる。そこで他の解決策として、導光板１０の位置決め用突部２６を液晶表示装置の表示領域から遠く離した位置に形成し、これによって突部２６から出射した光が表示領域に届かないようにすることが考えられる。しかるにこのような対策を採ると、位置決め用突部２６を表示領域に対して外周側に大きく離さなければならないために、バックライト装置の外形が大きくなって、とくに小型の表示装置として用いるのには不適当になる。
【特許文献１】特開２００１−１６６１１６号公報
【特許文献２】特開２００１−２１５５０５号公報
【発明の開示】
【発明が解決しようとする課題】
【００１０】
本願発明の課題は、導光板の位置決め用突部から出射して枠体の凹部の内周部で反射される光による輝点を無くし、これによって表示の品位を向上させるようにしたバックライト装置、およびこのバックライト装置を用いる表示装置を提供することである。
【００１１】
本願発明の別の課題は、遮光テープ等の別部品を用いることなく、しかも位置決め用突部から出射した光が枠体の凹部の内周部で反射して生ずる輝点を低減するようにしたバックライト装置と、このようなバックライト装置を用いる表示装置を提供することである。
【００１２】
本願発明のさらに別の課題は、コストを増大させることなく、しかも輝点を改善するようにしたバックライト装置、およびこのようなバックライト装置を用いる液晶表示装置を提供することである。
【００１３】
本願の上記の課題および別の課題は、以下に述べる本願発明の技術的思想およびその実施の形態によって明らかにされる。
【課題を解決するための手段】
【００１４】
本願の主要な発明は、側端の光源からの光を主面から出射する導光板と、
前記導光板を受入れる枠体と、
光が出射される前記導光板の主面上に配される光学シートと、
を有するバックライト装置において、
前記導光板の側端に位置決め用突部が設けられ、該位置決め用突部が前記枠体の内周部に形成された凹部に受入れられるとともに、
前記凹部の前記導光板の主面とほぼ同一の高さの部位に段差が形成され、該段差によって前記凹部が前記突部の幅方向または突出方向に拡大され、しかも前記導光板の突部と対応する位置において前記光学シートに位置決め用の耳が設けられ、該耳が前記突部の幅方向または突出方向に前記突部よりも延長されて前記段差に受入れられることを特徴とするバックライト装置に関するものである。
【００１５】
ここで、前記枠体の凹部の段差が前記突部の幅方向に前記突部よりも拡大され、前記光学シートの前記耳の前記突部の幅方向の延長部が前記段差に受入れられて前記突部と前記凹部との間の隙間を塞ぐようにしてよい。また前記光学シートがプリズムシートを含み、該プリズムシートの耳の延長部が前記段差に受入れられてよい。また前記光学シートが拡散シートを含み、該拡散シートの耳の延長部が前記段差に受入れられてよい。また前記光学シートがプリズムシートと拡散シートとを含み、前記プリズムシートと前記拡散シートの耳の延長部が前記段差に受入れられてよい。
【００１６】
表示装置に関する主要な発明は、表示パネルと、前記表示パネルに対して背面側から照明するバックライト装置とを有する表示装置において、
前記バックライト装置が側端の光源からの光を主面から出射する導光板と、前記導光板を受入れる枠体と、光が出射される前記導光板の主面上に配される光学シートとを有し、
前記導光板の側端に位置決め用突部が設けられ、該位置決め用突部が前記枠体の内周部に形成された凹部に受入れられるとともに、
前記凹部の前記導光板の主面とほぼ同一の高さの部位に段差が形成され、該段差によって前記凹部が前記突部の幅方向または突出方向に拡大され、しかも前記導光板の突部と対応する位置において前記光学シートに位置決め用の耳が設けられ、該耳が前記突部の幅方向または突出方向に前記突部よりも延長され、前記段差に受入れられることを特徴とする表示装置に関するものである。
【００１７】
ここで、前記表示パネルが液晶表示パネルであってよい。また前記液晶表示パネルが前記バックライト装置の枠体によって保持されてよい。
【００１８】
本願発明の好ましい態様は、液晶表示装置のバックライト装置の樹脂枠からの反射光による輝点を低減し、画品位を向上させるようにしたものである。すなわちバックライトと樹脂から成る枠体との嵌合のために、導光板に位置決め用突部を設けて枠体に固定するようにし、このような位置決め用突部から出た光が枠体に反射して輝点になるのを防ぐために、導光板の位置決め用突部を受入れる枠体の凹部に段差を設けるようにし、光学シートの一部であって耳の延長部分を上記段差上に受入れて上記位置決め用突部の側端部上まで延長し、これによって反射して輝点を生ずる部分を覆うようにしたものである。このような構成によると、遮光テープや遮光シート、その他の輝点となる反射光を遮る部品を追加することなく、しかも位置決め用突部から出射して輝点となる光を遮断することができるために、コストの低減につながるようになる。そして液晶表示装置の輝点を改善することができるために、画品位が向上される。また遮光シート等の別部品を用いることなく輝点を無くすことができるために、バックライト装置のコストの低減が可能になる。
【発明の効果】
【００１９】
本願の主要な発明は、側端の光源からの光を主面から出射する導光板と、導光板を受入れる枠体と、光が出射される導光板の主面上に配される光学シートと、を有するバックライト装置において、導光板の側端に位置決め用突部が設けられ、該位置決め用突部が枠体の内周部に形成された凹部に受入れられるとともに、凹部の導光板の主面とほぼ同一の高さの部位に段差が形成され、該段差によって凹部が突部の幅方向または突出方向に拡大され、しかも導光板の突部と対応する位置において光学シートに位置決め用の耳が設けられ、該耳が突部の幅方向または突出方向に突部よりも延長されて段差に受入れられるようにしたものである。
【００２０】
従ってこのようなバックライト装置によると、導光板からこの導光板の位置決め用突部の側端を通って出射し、枠体の凹部の内周面で反射した光が、上記凹部に形成された段差内に受入れられる光学シートによって遮断されるために、外部に光が出射して輝点を生ずることがなく、これによって画品位が向上される。しかも遮光シート等の別部材を用いる必要がないために、バックライト装置の構造が簡潔になり、少ない部品点数で構成することができ、これによってバックライト装置の低コスト化が可能になる。
【００２１】
表示装置に関する主要な発明は、表示パネルと、表示パネルに対して背面側から照明するバックライト装置とを有する表示装置において、バックライト装置が側端の光源からの光を主面から出射する導光板と、導光板を受入れる枠体と、光が出射される導光板の主面上に配される光学シートとを有し、導光板の側端に位置決め用突部が設けられ、該位置決め用突部が枠体の内周部に形成された凹部に受入れられるとともに、凹部の導光板の主面とほぼ同一の高さの部位に段差が形成され、該段差によって凹部が突部の幅方向または突出方向に拡大され、しかも導光板の突部と対応する位置において光学シートに位置決め用の耳が設けられ、該耳が突部の幅方向または突出方向に突部よりも延長され、段差に受入れられるようにしたものである。
【００２２】
従ってこのような表示装置によると、バックライト装置の導光板の位置決め用突部から出射した光であって枠体の凹部の内周面で反射した光が、凹部に設けられた段差内に受入れられる光学シートによって遮断されるために、このような輝点を構成する光が液晶表示装置に入射することがなく、これによって液晶表示装置が部分的に光って画品質を低下させるのを防止することができ、高品位の表示動作を達成できるようになる。
【発明を実施するための最良の形態】
【００２３】
以下本願発明を図示の実施の形態によって説明する。図６は本実施の形態のバックライト装置を備える液晶表示装置の全体の構成を示しており、この液晶表示装置は透明樹脂から成る偏平な板状の導光板１０を備えており、このような導光板１０の側端側には、ＬＥＤから成る光源１１が配される。ＬＥＤ１１は給電用フレキシブル基板１２を介して給電され、これによって発光し、導光板１０に対してその側端から光を入射させる。そしてこのような導光板１０は、矩形の枠体１５内に収納されるようになっている。ここで枠体１５の底部開口は反射板１６によって閉塞される。このような反射板１６が、導光板１０の底部から出射する光を反射し、再び導光板１０内に導くことによって、光の利用効率を改善している。
【００２４】
導光板１０の上部には、３枚の光学シート２０が配される。これらの光学シート２０は、例えばプリズムシート２１、２２と、拡散シート２３とから構成される。
【００２５】
次に枠体１５に対する導光板１０および光学シート２０の位置決めについて図７および図８によって説明する。導光板１０の外周部には側方に突出するように位置決め用突部２６が形成される。このような位置決め用突部２６は、枠体１５の内周面に形成される凹部２７内に受入れられる。凹部２７による位置決め用突部２６の受入れの状態が、図８〜図１０に示されるようになる。そして上記位置決め用突部２６を受入れる枠体１５の凹部２７には、上記導光板１０の位置決め用突部２６の上縁とほぼ対向する位置に段差２８が形成され、このような段差２８によって光学シート２０を構成するプリズムシート２１、２２、あるいは拡散シート２３の耳３１、３２、３３のとくに側方へ延長された部分を受入れるようにしている。すなわちこのような段差２８を設けることによって、上記凹部２７よりも位置決め用突部２６の幅方向のプリズムシート２１、２２の耳３１、３２あるいは拡散シート２３の耳３３の寸法を大きくすることができ、このような段差２８内に受入れられるプリズムシート２１、２２あるいは拡散シート２３の耳３１、３２、３３によって、輝点となる光を遮断できる。
【００２６】
位置決め用突部２６は導光板１０の側端に一体に連設されており、同一の透明樹脂材料によって連続して形成されているために、このような位置決め用突部２６もまた導光板１０の一部を構成している。従って光源１１からの光が導光板１０および位置決め用突部２６の内部を伝わり、この位置決め用突部２６の側端から出射する。このような光は、図９〜図１１に示すように、枠体１５の凹部２７の内周面で反射し、上方へ出射しようとする。ところが段差２８によって側方に延長されたプリズムシート２１、２２あるいは拡散シート２３の耳３１、３２、３３の部分によって遮光されるか、拡散される。従ってこのことから、位置決め用突部２６から出射した光であって、凹部２７の内周面で反射した光が、上方へ出射することがなく、これによって輝点の発生が抑えられる。従って図６に示す枠体１５の上部であって取付け部３６に取付けられる液晶表示パネル３５には、上記位置決め用突部２６から出射した光が入射されることがなく、液晶表示パネル２５が輝点によって部分的に明るく光る不具合が防止されることになる。
【００２７】
バックライト装置には、通常輝度向上のためにプリズムシート２１、２２や拡散シート２３から成る光学シート２０が配されている。このような光学シート２１、２２、２３に、導光板１０と同様な耳３１、３２、３３をそれぞれ設けるとともに、枠体１５の凹部２７に段差２８を設け、この段差２８内に受入れることによって、導光板１０の位置決め用突部２６と凹部２７との間に出射する光をプリズムシート２１、２２および拡散シート２３の耳３１、３２、３３の側端の部分でとどめ、これによって遮光動作を行なうようにしている。一般にプリズムシート２１、２２や拡散シート２３は、位置決め用突部２６から出射する光の輝点を弱くし、しかもプリズムシート２１、２２および拡散シート２３は光の方向を変えて液晶表示パネル３５に光が届かなくする作用がある。従ってプリズムシート２１、２２あるいは拡散シート２３の内の１枚の耳を側方に延長しても効果があり、またこれらのシート２１、２２、２３の内の複数枚の光学シートの耳を側端側に延長させることによって、複合効果をも期待することができる。何れの場合においても、液晶表示装置の輝点が改善され、これによって液晶表示パネル３５の画品位が向上する。また従来の遮光テープ３８（図５参照）のような追加部品を用いることなく輝点を無くすことができるために、バックライト装置のコストが低減できるようになる。
【００２８】
次に複数枚の光学シート２１、２２、２３の組合わせについて図１２〜図１８によって説明する。なおこれらの図において、Ａの部分は図８Ｂにおける位置決め用突部２６の幅方向の中央部の断面（Ａ〜Ａ’断面）を示し、Ｂの部分は図８Ｂにおける位置決め用突部２６の側端側の部分の断面（Ｂ〜Ｂ’断面）を示している。
【００２９】
図１２は１番下側の拡散シート２３の耳３３のみを側方であって段差２８の部分にまで延長した構成を示している。また図１３は１番上側のプリズムシート２１の耳３１を凹部２７の段差２８の上部まで延長した状態を示している。これに対して図１４は、中間のプリズムシート２２の耳３２を凹部２７の段差２８の部分まで延長した形態を示している。
【００３０】
図１５はプリズムシート２２と拡散シート２３の耳３２、３３をそれぞれ凹部２７の段差２８の部分まで延長した構成を示している。また図１６は、プリズムシート２１と拡散シート２３の耳３１、３３を凹部２７の段差２８の部分まで延長した状態を示している。また図１７は、プリズムシート２１、２２の耳３１、３２をそれぞれ凹部２７の段差２８の領域まで延長した状態を示している。また図１８は、プリズムシート２１、２２および拡散シート２３の耳３１、３２、３３をそれぞれ側方に延長した状態を示している。
【００３１】
このように光学シート２０を構成するプリズムシート２１、２２あるいは拡散シート２３の内の１枚、２枚、あるいは３枚の耳３１、３２、３３を上記枠体１５の凹部２７の段差２８の部分まで延長させることによって、導光板１０の位置決め用突部２６の側端から出射し、凹部２７の内周面で反射して上方へ出射しようとする光を遮ることが可能になり、これによって輝点の発生が抑制される。
【００３２】
以上本願発明を図示の実施の形態によって説明したが、本願発明は上記実施の形態によって限定されることなく、本願発明の技術的思想の範囲内において各種の変更が可能である。例えば上記実施の形態においては、光学シート２０を構成するプリズムシート２１、２２あるいは拡散シート２３の耳３１、３２、３３を位置決め用突部２６の幅方向に延長しているが、このような構成に代えて、あるいはこのような構成とともに、上記耳３１、３２、３３を位置決め用突部２６の突出方向に延長するようにしてもよい。
【産業上の利用可能性】
【００３３】
本願発明は、液晶表示装置のバックライト装置に用いることができる。
【図面の簡単な説明】
【００３４】
【図１】従来の液晶表示装置の縦断面図である。
【図２】同液晶表示装置に用いられるバックライト装置の平面図である。
【図３】バックライト装置の導光板の位置決めと輝点の発生とを示す要部拡大平面図である。
【図４】図３におけるＢ−Ｂ線断面図である。
【図５】遮光テープによる光の遮断動作を示す図４と同様の断面図である。
【図６】本発明の一実施の形態に係る液晶表示装置の要部縦断面図である。
【図７】同液晶表示装置のバックライト装置の平面図および要部拡大平面図である。
【図８】バックライト装置の導光板の位置決め部の拡大分解斜視図である。
【図９】導光板の位置決め部の拡大断面図である。
【図１０】輝点の防止動作を示す拡大断面図である。
【図１１】２枚のプリズムシートによる輝点の抑制動作を示す拡大断面図である。
【図１２】拡散シートによる遮光動作を示す要部断面図である。
【図１３】プリズムシートによる遮光動作を示す要部断面図である。
【図１４】別のプリズムシートによる遮光動作を示す要部断面図である。
【図１５】プリズムシートと拡散シートによる遮光動作を示す要部断面図である。
【図１６】プリズムシートと拡散シートによる遮光動作を示す要部断面図である。
【図１７】２枚のプリズムシートによる遮光動作を示す要部断面図である。
【図１８】２枚のプリズムシートと拡散シートとによる遮光動作を示す要部断面図である。
【符号の説明】
【００３５】
１０…導光板、１１…ＬＥＤ（光源）、１２…給電用フレキシブル基板、１５…枠体、１６…反射板、２０…光学シート、２１、２２…プリズムシート、２３…拡散シート、２６…位置決め用突部、２７…凹部、２８…段差、３１〜３３…耳、３５…液晶表示パネル、３６…取付け部、３８…遮光テープ
【図１】
2008159452.tif 000003
【図２】
2008159452.tif 000004
【図３】
2008159452.tif 000005
【図４】
2008159452.tif 000006
【図５】
2008159452.tif 000007
【図６】
2008159452.tif 000008
【図７】
2008159452.tif 000009
【図８】
2008159452.tif 000010
【図９】
2008159452.tif 000011
【図１０】
2008159452.tif 000012
【図１１】
2008159452.tif 000013
【図１２】
2008159452.tif 000014
【図１３】
2008159452.tif 000015
【図１４】
2008159452.tif 000016
【図１５】
2008159452.tif 000017
【図１６】
2008159452.tif 000018
【図１７】
2008159452.tif 000019
【図１８】
2008159452.tif 000020